(57)【要約】      （修正有）【課題】コーヒー又は茶を入れるためのプアオーバーケトルを提供する。【解決手段】セラミック容器１０と放出口金属コネクタ２０とを有するプアオーバーケトルであって、セラミック容器１０は、セラミック容器１０内で画定された収容空間１５、収容空間１５と連通している放水口、及び収容空間１５と連通している上開口部とを有し、放出口金属コネクタ２０は、セラミック容器１０の放水口へ着脱可能に設置されている。【選択図】図２
0003221238.tif 000002
【実用新案登録請求の範囲】
【請求項１】
セラミック容器と放出口金属コネクタとを有するプアオーバーケトルであって、
上記セラミック容器は、上記セラミック容器内で画定された収容空間、上記収容空間と連通している放水口、及び上記収容空間と連通している上開口部とを有し、
上記放出口金属コネクタは、上記セラミック容器の上記放水口へ着脱可能に設置されている、
プアオーバーケトル。
【請求項２】
上記放出口金属コネクタは、
上記セラミック容器の上記放水口を貫くようにして設置されている接続端と、
上記放出口金属コネクタの上記接続端に形成された設置部とを有し、
上記設置部は、上記放水口の周囲に画定された開口端に隣接し且つ着脱可能に取り付けられている、
請求項１に記載のプアオーバーケトル。
【請求項３】
上記放出口金属コネクタは、
上記放出口金属コネクタが有する上記接続端の周囲に形成され且つ上記セラミック容器と隣接しているフランジと、
上記放出口金属コネクタの上記接続端に形成され且つ上記セラミック容器の上記収容空間内に突き出ている接続部とを有し、
上記放出口金属コネクタの上記設置部は、上記フランジと上記接続部分との間に配置されており、
上記金属コネクタが有する上記接続部の周囲には接続部材が設置され且つ確実に接続されており、上記セラミック容器は上記フランジと上記接続部材との間に保持されている、
請求項２に記載のプアオーバーケトル。
【請求項４】
上記放出口金属コネクタの上記接続部にはネジが切ってあり、
上記接続部材は、上記接続部と噛み合う内部ネジを有するナットである、
請求項３に記載のプアオーバーケトル。
【請求項５】
上記放出口金属コネクタが有する上記接続端の周囲には外部封止部材が設置され、上記フランジと上記セラミック容器との間に保持されており、
上記放出口金属コネクタが有する上記接続端の周囲には内部封止部材が設置され、上記接続部材と上記セラミック容器との間に保持されている、
請求項３又は４に記載のプアオーバーケトル。
【請求項６】
上記放出口金属コネクタは、注ぎ口として形成されており、引き伸ばされて湾曲しており、放出端と流路とを有しており、
上記放出口金属コネクタの上記放出端と上記接続端とは、上記放出口金属コネクタが有する二つの反対側に位置する端部として形成されており、
上記流路は、上記放出口金属コネクタの上記放出端から上記接続端まで貫くようにして上記放出口金属コネクタ内に形成されている、
請求項３〜５のいずれかに記載のプアオーバーケトル。
【請求項７】
上記放出口金属コネクタは栓として形成されており、上記セラミック容器の上記放水口を封止している、
請求項３〜５のいずれかに記載のプアオーバーケトル。
【請求項８】
上記セラミック容器は、
底部壁と、
上記底部壁の周縁部から上方へ延びている側壁とを有し、
上記側壁は、
上記底部壁の上記周縁部から上方へ垂直に延びている下部壁と、
上記下部壁の環状端から上方へ延びており、上向きに先細りとなっている上部壁とを有する、
請求項１〜７のいずれかに記載のプアオーバーケトル。
【請求項９】
上記セラミック容器は、
底部壁と、上向きに先細りとなっている側壁とを有し、
上記セラミック容器は、襟部と首部とを更に有しており、
上記襟部は、上記セラミック容器の上記側壁から上方へ延びており且つ上記上開口部の周囲に形成されており、
上記首部は、上記セラミック容器の上記側壁と上記襟部との周囲に形成されて、その間に配置されている、
請求項１〜７のいずれかに記載のプアオーバーケトル。
【請求項１０】
ハンドルと蓋部とを更に有し、
上記ハンドルは、上記セラミック容器へ取り付けられており且つ上記放水口の反対側に配置されており、
上記蓋部は、上記セラミック容器の上部へ着脱可能に設置されており、上記セラミック容器の上記上開口部を覆っている、
請求項１〜９のいずれかに記載のプアオーバーケトル。
【考案の詳細な説明】
【技術分野】
【０００１】
関連出願の相互参照
本出願は、２０１８年２月２７日に出願された台湾特許出願第１０７２０２６５１号に基づくものであり、米国特許法第１１９条の下で当該出願の優先権を主張する。当該出願は参照により詳細に本願に援用される。
【０００２】
本実用新案は、ケトル、特にコーヒー又は茶を入れるためのプアオーバーケトルに関する。
【背景技術】
【０００３】
今日、コーヒー及び茶は一般的且つ人気のある飲料である。人々はコーヒー又は茶を飲むことでリフレッシュでき、人生の大きな喜びとなっている。１杯のコーヒーを入れることについて言えば、コーヒーの品質を決定するものとして４つの要因、すなわち、コーヒー豆、並びにコーヒー豆を抽出する水の品質、温度、及び量が挙げられる。これらの要素の中でも、水の品質が非常に重要である。水はコーヒーの主な材料であるため、品質の良い水を用いれば、特有の風味を持つコーヒーを入れることができる。
【０００４】
従来のプアオーバーケトルは、全体がセラミック又は金属製であり、単一の部材として一体成形された容器、注ぎ口、及びハンドルを有する。セラミックは金属よりも断熱性が高い材料である。また、セラミック製のプアオーバーケトルに保存された水は、金属製のプアオーバーケトルに保存された水よりも風味がよい。しかしながら、従来のプアオーバーケトルが有する注ぎ口は引き伸ばされて細長いため、セラミック製である従来のプアオーバーケトルが有する注ぎ口は容易に破損する。加えて、注ぎ口は容器に一体成形されていて細長いため、注ぎ口の内部を洗うのが難しく、使用者が必要に応じて直径の異なる注ぎ口に取り替えることは不可能であった。
【考案の概要】
【考案が解決しようとする課題】
【０００５】
本実用新案は、主としてセラミック容器と放出口金属コネクタとを有するプアオーバーケトルを提供することを目的とする。セラミック容器は、セラミック容器内で画定された収容空間、該収容空間と連通した放水口、及び該収容空間と連通した上開口部を有する。放出口金属コネクタは、セラミック容器の放水口へ着脱可能に設置されており、注ぎ口又は栓として形成してもよい。
【課題を解決するための手段】
【０００６】
セラミック容器に保存された水は、金属容器に保存された水よりも風味がよい。また、セラミック容器の熱伝導率は金属容器よりも低いため、セラミック容器は、中のお湯をコーヒー又は茶を入れるのに良好な温度で保持できる。従って、上記プアオーバーケトルのセラミック容器から注がれたお湯で入れたコーヒー又は茶は風味がよい。
【０００７】
更に、注ぎ口状の放出口金属コネクタは材料が硬く、引き伸ばされて細長い構造であっても容易には破損しない。注ぎ口状の放出口金属コネクタはセラミック容器から着脱可能であるため、放出口金属コネクタの内部を洗浄し、またプアオーバーケトルを収納又は移動するのに便利である。加えて、注ぎ口状の放出口金属コネクタは、口径が異なる他の注ぎ口状の放出口金属コネクタ又は栓状の放出口金属コネクタと交換できる。
【図面の簡単な説明】
【０００８】
【図１】本実用新案に係るプアオーバーケトルの第一実施形態の斜視図である。
【図２】図１に示すプアオーバーケトルの側面断面図である。
【図３】図１に示すプアオーバーケトルの分解斜視図である。
【図４】本実用新案に係るプアオーバーケトルの第二実施形態の斜視図である。
【図５】図４に示すプアオーバーケトルの側面断面図である。
【図６】本実用新案に係るプアオーバーケトルの第三実施形態の斜視図である。
【図７】図１及び図４に示すプアオーバーケトルが有する放出口金属コネクタの斜視図である。
【図８】図６に示すプアオーバーケトルが有する他の放出口金属コネクタの斜視図である。
【考案を実施するための形態】
【０００９】
図１によれば、本実用新案に係るプアオーバーケトルは、セラミック容器１０、ハンドル１８、及び放出口金属コネクタ２０を有する。
【００１０】
また、図２及び図３によれば、セラミック容器１０は、底部壁１１、側壁、収容空間１５、放水口１６、及び上開口部１７を有する。
【００１１】
底部壁１１は周縁部を有する。第一の好適な実施形態において、底部壁１１は円形である。だが、底部壁１１の形状は円形に限定されず、他の幾何学的形状であってもよい。
【００１２】
上記側壁は、底部壁１１の周縁部から上方へ延びている。第一の好適な実施形態において、側壁は下部壁１２及び上部壁１３を有する。下部壁１２は、底部壁１１の周縁部から上方へ垂直に延びており、上部環状端を有する。また、上部壁１３は、下部壁１２の上部環状端から上方へ延びており、上向きに先細りとなっている。従って、セラミック容器１０の底部分は、セラミック容器１０の上部分より幅が広い。プアオーバーケトルから水を注ぐ際、プアオーバーケトルは安定を保つことができるので、使用者はプアオーバーケトルから放出される水を制御できる。
【００１３】
収容空間１５はセラミック容器１０内で画定されており、底部壁１１及び側壁で囲まれている。放水口１６は側壁を貫くようにして形成されており、収容空間１５と連通している。上開口部１７はセラミック容器１０の上部を貫くようにして画定されており、収容空間１５と連通している。第一の好適な実施形態において、放水口１６は側壁の下部壁１２を貫くようにして形成されており、上開口部１７は側壁の上部壁１３が有する上部環状端で囲まれている。使用者は、上開口部１７からセラミック容器１０の収容空間１５へお湯を入れることができる。
【００１４】
ハンドル１８はセラミック容器１０の側壁へ取り付けられており、放水口１６の反対側に配置されている。具体的には、ハンドル１８の二つの端部がそれぞれ上部壁１３及び下部壁１２へと取り付けられている。使用者は、ハンドル１８をつかんでプアオーバーケトルを持ち上げられる。
【００１５】
放出口金属コネクタ２０はセラミック容器１０の放水口１６へ着脱可能に設置されており、接続端、フランジ２２、接続部２３、及び設置部２４を有する。
【００１６】
放出口金属コネクタ２０の接続端はセラミック容器１０の放水口１６を貫くようにして設置されている。フランジ２２は放出口金属コネクタ２０が有する接続端の周囲に形成されており、セラミック容器１０の側壁外面に隣接することで放水口１６を封止し、お湯が放水口１６を通ってセラミック容器１０から流出しないようにしている。
【００１７】
接続部２３は放出口金属コネクタ２０の接続端に形成されており、セラミック容器１０の収容空間１５内に突き出ている。設置部２４は放出口金属コネクタ２０の接続端に形成されており、フランジ２２と接続部２３との間に配置されている。設置部２４は、放水口１６の周囲に画定された開口端に隣接し且つ着脱可能に取り付けられている。
【００１８】
セラミック容器１０の収容空間１５内には接続部材２５が配置されており、金属コネクタ２０が有する接続部２３の周囲に設置され且つ確実に接続されている。従って、セラミック容器１０の側壁はフランジ２２と接続部材２５との間に保持されている。
【００１９】
放出口金属コネクタ２０が有する接続端の周囲には外部封止部材２６が設置され、フランジ２２とセラミック容器１０の側壁外面との間に保持されることで、フランジ２２とセラミック容器１０との間からの流出を更に防止することが好ましい。また、放出口金属コネクタ２０が有する接続端の周囲には内部封止部材２７が設置され、接続部材２５とセラミック容器１０の側壁内面との間に保持されることで、セラミック容器１０と放出口金属コネクタ２０との接続が強化されている。具体的には、外部封止部材２６と内部封止部材２７とは弾性ガスケットである。
【００２０】
放出口金属コネクタ２０の接続部２３にはネジが切ってあり、接続部材２５は、接続部２３と噛み合う内部ネジを有するナットであることが好ましい。従って、放出口金属コネクタ２０はセラミック容器１０の放水口１６へ着脱可能に設置されている。
【００２１】
図１〜図３及び図７に示す通り、第一の好適な実施形態において、放出口金属コネクタ２０は注ぎ口として形成されており、引き伸ばされて湾曲しており、放出端２８と流路２１とを有する。放出口金属コネクタ２０の放出端２８及び接続端は、注ぎ口状の放出口金属コネクタ２０が有する二つの反対側に位置する端部として形成されている。流路２１は、放出口金属コネクタ２０の放出端２８から接続端まで貫くようにして放出口金属コネクタ２０内に形成されている。放出端２８は斜めに切断して形成されていることが好ましい。従って、放出端２８の断面は楕円である。斜めに切断された放出端２８により、流路２１に沿ってお湯をゆっくりと流し且つ穏やかに流出させることがことができるので、多量のお湯がいきなり注がれるのを防止できる。
【００２２】
第一の好適な実施形態において、プアオーバーケトルは、蓋部１９を更に有する。蓋部１９はセラミック容器１０の上部へ着脱可能に設置されており、セラミック容器１０の上開口部１７を覆うことでセラミック容器１０内のお湯を温かく保つことができる。
【００２３】
コーヒーを入れる際には、お湯の量を調整することが非常に重要である。コーヒー粉を入れたペーパーフィルターに注ぐお湯の量を調整することで、熱湯がペーパーフィルター上に留まってコーヒー粉から成分を抽出する時間を調整することができる。抽出時間が短すぎると、入れたコーヒーが水っぽくコーヒーの風味が薄くなる。抽出時間が長すぎると、入れたコーヒーが苦く、酸味が強くなり、一般の人々には受け入れられなくなる。湾曲した注ぎ口状の放出口金属コネクタ２０と、上部よりも幅が広い底部を有するセラミック容器１０とにより、使用者はプアオーバーケトルからのお湯の放出を調節できるので、風味のよい一杯のコーヒーを入れることができる。
【００２４】
更に図４及び図５によれば、第二の好適な実施形態において、セラミック容器１０Ａの側壁は上向きに先細りとなっている。セラミック容器１０Ａは、襟部１４Ａと首部１４１Ａとを更に有する。襟部１４Ａはセラミック容器１０Ａの側壁から上方へ延びており、上開口部１７Ａの周囲に形成されている。首部１４１Ａはセラミック容器１０Ａの側壁と襟部１４Ａとの周囲に形成されて、その間に配置されている。
【００２５】
更に図６及び図８によれば、放出口金属コネクタ２０Ａの別の好適な実施形態について、放出口金属コネクタ２０Ａは栓として形成されており、セラミック容器１０の放水口１６Ａを封止している。栓状の放出口金属コネクタ２０Ａをセラミック容器１０Ａの放水口１６Ａに設置した場合、プアオーバーケトルは、セラミック容器１０Ａの上開口部１７Ａから使用者がそのまま水を飲むことができるカップとなる。
【００２６】
記載したプアオーバーケトルは以下の利点を有する。セラミック容器１０及び１０Ａ内に保存された水は、金属容器に保存された水よりも風味がよい。更に、セラミック容器１０及び１０Ａの熱伝導率は金属容器よりも低いので、セラミック容器１０及び１０Ａは内部のお湯を抽出に適した温度で保持できる。従って、プアオーバーケトルのセラミック容器１０及び１０Ａから注がれたお湯で入れたコーヒー又は茶は風味がよい。
【００２７】
更に、プアオーバーケトルから注がれる熱湯の量を調整するのに加え、注ぎ口状の放出口金属コネクタ２０は材料が硬いので、引き伸ばされて細長い構造であっても容易には破損しない。注ぎ口状の放出口金属コネクタ２０はセラミック容器１０及び１０Ａから着脱可能なので、放出口金属コネクタ２０をセラミック容器１０及び１０Ａから取り外して流路２１を洗浄するのに便利である。更に、プアオーバーケトルを収納又は移動する際も、放出口金属コネクタ２０をセラミック容器１０及び１０Ａから取り外すことで、プアオーバーケトル全体で占められる空間を削減できる。加えて、注ぎ口状の放出口金属コネクタ２０は、口径の異なる他の注ぎ口状の放出口金属コネクタ２０と交換できるので、プアオーバーケトルから注がれるお湯の速度を制御できる。注ぎ口状の放出口金属コネクタ２０を栓状の放出口金属コネクタ２０Ａと交換した場合、プアオーバーケトルは、使用者がそこから直接飲むことができるカップになる。
【符号の説明】
【００２８】
１０、１０Ａ：セラミック容器
１１：底部壁
１２：下部壁
１３：上部壁
１４Ａ：襟部
１５：収容空間
１６、１６Ａ：放水口
１７、１７Ａ：上開口部
１８：ハンドル
１９：蓋部
２０、２０Ａ：放出口金属コネクタ
２１：流路
２２：フランジ
２３：接続部
２４：設置部
２５：接続部材
２６：外部封止部材
２７：内部封止部材
２８：放出端
１４１Ａ：首部
【図１】
0003221238.tif 000003
【図２】
0003221238.tif 000004
【図３】
0003221238.tif 000005
【図４】
0003221238.tif 000006
【図５】
0003221238.tif 000007
【図６】
0003221238.tif 000008
【図７】
0003221238.tif 000009
【図８】
0003221238.tif 000010